(57)【要約】【課題】テレビコンセントにおいて、上下方向を逆にして壁面等に設置したときに同軸ケーブルに結露等が発生しても、水滴が筐体の入力端子が設けられている面から開口部に流れ込まないようにして、動作不良や故障を防止する。【解決手段】筐体１０の前面には第１のテレビ端子２ａ及び第２のテレビ端子２ｂが設けている。筐体１０の２分配回路基板５が略水平に収納されている部位はフィルタ回路基板６が設けられている部位の背面から後方に出っ張った形状である。筐体１０のフィルタ回路基板６が設けられている部位の背面は開口部１０ｂであり、封止板１１ｂにより覆われている。筐体１０の後方に出っ張った部分の下面１０ｃには、この下面１０ｃよりも上方に凹むような形状の段部１０ｄが設けられている。同軸ケーブルと接続される入力端子２ｃは、この段部１０ｄから下方へ立設されている。【選択図】図２
2007013686.tif 000002
【特許請求の範囲】
【請求項１】
筐体前面から露出されるように設けられた第１のテレビ端子及び第２のテレビ端子と、
筐体外部に露出するように筐体の背面側に配され、同軸ケーブルと接続される入力端子とが筐体に形成され、
筐体内部に収納され、前記入力端子に接続されて前記同軸ケーブルを経由して送られる信号を２分配する２分配回路を有する２分配回路基板と、
前記２分配回路と第１のテレビ端子とを前記信号を伝送可能に接続する第一の経路と、第一の経路とは異なり前記２分配回路と第２のテレビ端子とを前記信号を伝送可能に接続する第二の経路と、これら第一、第二の経路それぞれに個別に挿入可能なフィルタとを有し、筐体内部に収納されたフィルタ回路基板と、
前記筐体前面に外部から操作可能に設けられ、第一の経路に接続され、前記フィルタを第一の経路に挿入するかどうかによって第１のテレビ端子を双方向通信と片方向通信とに切り替えるための第１の切り替えスイッチと、前記筐体前面に外部から操作可能に設けられ、第二の経路に接続され、前記フィルタを第二の経路に挿入するかどうかによって第２のテレビ端子を双方向通信と片方向通信とに切り替えるための第２の切り替えスイッチとを備え、
前記第１の切り替えスイッチ及び第２の切り替えスイッチは、共に前記第１のテレビ端子又は第２のテレビ端子のいずれか一方の近傍に配置されており、
前記筐体は、前記第１のテレビ端子又は第２のテレビ端子のうち他方が設けられた部位と前記第１の切り替えスイッチ及び第２の切り替えスイッチが設けられた部位との間の部位が、幅方向の寸法が狭くなるように成形され、
また、前記２分配回路基板が収納されている部位は前記フィルタ回路基板が設けられている部位の背面から後方に出っ張った形状であるとともに、このフィルタ回路基板が設けられている部位の背面が開口部となっているテレビコンセントにおいて、
前記入力端子は、前記２分配回路基板が収納されている部位の外面上であって、一方から他方への向きかまたは他方から一方への向きに凹む形状に設けられた段部に、立設されたことを特徴とするテレビコンセント。
【請求項２】
筐体前面から露出されるように設けられた第１のテレビ端子及び第２のテレビ端子と、
筐体外部に露出するように筐体の背面側に配され、同軸ケーブルと接続される入力端子とが筐体に形成され、
筐体内部に収納され、前記入力端子に接続されて前記同軸ケーブルを経由して送られる信号を２分配する２分配回路を有する２分配回路基板と、
前記２分配回路と第１のテレビ端子とを前記信号を伝送可能に接続する第一の経路と、第一の経路とは異なり前記２分配回路と第２のテレビ端子とを前記信号を伝送可能に接続する第二の経路と、これら第一、第二の経路それぞれに個別に挿入可能なフィルタとを有し、筐体内部に収納されたフィルタ回路基板と、
前記筐体前面に外部から操作可能に設けられ、第一の経路に接続され、前記フィルタを第一の経路に挿入するかどうかによって第１のテレビ端子を双方向通信と片方向通信とに切り替えるための第１の切り替えスイッチと、前記筐体前面に外部から操作可能に設けられ、第二の経路に接続され、前記フィルタを第二の経路に挿入するかどうかによって第２のテレビ端子を双方向通信と片方向通信とに切り替えるための第２の切り替えスイッチとを備え、
前記第１の切り替えスイッチ及び第２の切り替えスイッチは、共に前記第１のテレビ端子又は第２のテレビ端子のいずれか一方の近傍に配置されており、
前記筐体は、前記第１のテレビ端子又は第２のテレビ端子のうち他方が設けられた部位と前記第１の切り替えスイッチ及び第２の切り替えスイッチが設けられた部位との間の部位が、幅方向の寸法が狭くなるように成形され、
また、前記２分配回路基板が収納されている部位は前記フィルタ回路基板が設けられている部位の背面から後方に出っ張った形状であるとともに、このフィルタ回路基板が設けられている部位の背面が開口部となっているテレビコンセントにおいて、
前記入力端子は、前記２分配回路基板が収納されている部位の外面上に、一方から他方への向きかまたは他方から一方への向きに立設され、この入力端子の周囲には、溝部が筐体の外側面に通じるように形成されていることを特徴とするテレビコンセント。
【請求項３】
筐体前面から露出されるように設けられた第１のテレビ端子及び第２のテレビ端子と、
筐体外部に露出するように筐体の背面側に配され、同軸ケーブルと接続される入力端子とが筐体に形成され、
筐体内部に収納され、前記入力端子に接続されて前記同軸ケーブルを経由して送られる信号を２分配する２分配回路を有する２分配回路基板と、
前記２分配回路と第１のテレビ端子とを前記信号を伝送可能に接続する第一の経路と、第一の経路とは異なり前記２分配回路と第２のテレビ端子とを前記信号を伝送可能に接続する第二の経路と、これら第一、第二の経路それぞれに個別に挿入可能なフィルタとを有し、筐体内部に収納されたフィルタ回路基板と、
前記筐体前面に外部から操作可能に設けられ、第一の経路に接続され、前記フィルタを第一の経路に挿入するかどうかによって第１のテレビ端子を双方向通信と片方向通信とに切り替えるための第１の切り替えスイッチと、前記筐体前面に外部から操作可能に設けられ、第二の経路に接続され、前記フィルタを第二の経路に挿入するかどうかによって第２のテレビ端子を双方向通信と片方向通信とに切り替えるための第２の切り替えスイッチとを備え、
前記第１の切り替えスイッチ及び第２の切り替えスイッチは、共に前記第１のテレビ端子又は第２のテレビ端子のいずれか一方の近傍に配置されており、
前記筐体は、前記第１のテレビ端子又は第２のテレビ端子のうち他方が設けられた部位と前記第１の切り替えスイッチ及び第２の切り替えスイッチが設けられた部位との間の部位が、幅方向の寸法が狭くなるように成形され、
また、前記２分配回路基板が収納されている部位は前記フィルタ回路基板が設けられている部位の背面から後方に出っ張った形状であるとともに、このフィルタ回路基板が設けられている部位の背面が開口部となっているテレビコンセントにおいて、
前記入力端子は、前記２分配回路基板が収納されている部位の外面上に、一方から他方への向きかまたは他方から一方への向きに立設され、この入力端子とフィルタ回路基板との間に、前記開口部の端部を遮る敷居部が形成されていることを特徴とするテレビコンセント。
【発明の詳細な説明】
【技術分野】
【０００１】
本発明は、双方向ＣＡＴＶ用配線系等の信号伝送システムの末端において、そのシステムと、テレビ受像機やチューナ等の受信機器又はケーブルモデム等の情報端末とを接続するテレビコンセントに関するものである。
【背景技術】
【０００２】
一般に、双方向ＣＡＴＶの信号伝送システムにおいては、ＣＡＴＶ局から加入者に向けての下り方向に対応する信号とその反対方向の上り方向に対応する信号とを周波数帯域で分けることにより、一本の同軸ケーブルで双方向通信が行われている。この上り方向の信号に加入者側からノイズ等が混入すると、通信の性能が低下するなどの影響を生じる。このため、下り方向のみの片方向通信のみを行うときには、信号伝送システムの末端となる端子を備えたテレビコンセントとして、上り方向に対応する周波数帯域の信号をカットするフィルタを備えたものが用いられている。
【０００３】
このようなテレビコンセントの中には、フィルタを適用するかどうかをスイッチにより選択して、双方向通信を行うか片方向通信を行うかを選択可能としたものが知られている。また、双方向／片方向を選択可能なテレビコンセントとしては、例えば特許文献１に示されるように、２つのテレビ端子を有し、これらのテレビ端子についてそれぞれ双方向通信用か片方向通信用かを切り替える２つの切り替えスイッチを有するものがある。
【０００４】
図６（ａ）、（ｂ）、（ｃ）は、上述の特許文献１に記載されたテレビコンセントの一例を示す。このテレビコンセント８１の筐体８１０の前面の上部及び下部には、それぞれ第１のテレビ端子８２ａ及び第２のテレビ端子８２ｂが設けられている。また、筐体８１０の上部は、後述のように開口部が設けられた部位の背面から後方に出っ張った形状となっており、この後方に出っ張った部位の下面には、入力端子８２ｃが下向きに露出されるように立設されている。筐体８１０の前面の、第２のテレビ端子８２ｂの近傍には、筐体８１０に設けられている操作孔８３を通して外部から操作可能となるように、２つの切り替えスイッチ（以下、スイッチと称する）８４が設けられている。これらの２つのスイッチ８４は、図６（ａ）に示すように、互いに略水平に並んで設けられている。筐体８１０の第１のテレビ端子８２ａと操作孔８３との間の部位は、幅方向の寸法が狭くなるように形成されている。入力端子８２ｃは、この筐体８１０の幅方向の寸法が狭くなることにより発生した空間８１０ｅの後方に設けられている。
【０００５】
図７は、フィルタ回路基板８６を示す。筐体８１０の背面の後方に出っ張った部位の下方には開口部が設けられており、フィルタ回路基板８６は、この開口部から筐体８１０の内部に配される。筐体８１０の開口部は、フィルタ回路基板８６が筐体８１０の内部に配された状態で、封止板８１１ｂが圧入されて封止される。このフィルタ回路基板８６は、入力端子８２ｃと第１のテレビ端子８２ａ及び第２のテレビ端子８２ｂとの間に接続されるフィルタ８８を搭載している。スイッチ８４は、このフィルタ８８を適用するかどうかを切り替えることによって双方向通信と片方向通信とを切り替える。
【０００６】
このテレビコンセント８１は、図８（ａ）、（ｂ）に示すように、筐体８１０の前面がカバー８２０により覆われて、室内等にカバー８２０と第１のテレビ端子８２ａ及び第２のテレビ端子８２ｂとが露出するように、壁面８９０に配置されて用いられる。テレビコンセント８１の後方には、アウトレットボックス８８０が設けられている。テレビコンセント８１は、壁面８９０の背面側からアウトレットボックス８８０内に配された同軸ケーブル８６０の端部の端子８６１が入力端子８２ｃに接続された状態で壁面８９０に配される。一般的には、同軸ケーブル８６０がアウトレットボックス８８０の内部で略Ｕ字状に曲げられ、筐体８１０から下向きに突出した入力端子８２ｃに対して端子８６１が上向きに接続されている。
【０００７】
ところで、近年廃棄後の環境への影響を低減するために、例えばポリエチレン等のノンハロゲン樹脂を絶縁材として用いた同軸ケーブルが実用化されている。このようなノンハロゲン樹脂は従来のものに比べて硬く、テレビコンセント８１を壁面８９０に配置するときに、同軸ケーブル８６０自体が曲げにくい。また、端子８６１の長さが長く、同軸ケーブル８６０をアウトレットボックス内で曲げて入力端子８２ｃに下方から接続した状態とすることが困難な場合がある。このような場合には、図９に示すように、テレビコンセント８１の上下方向の向きを通常とは逆にして、入力端子８２ｃが筐体８１０から上向きに立設する向きとして用いられることがある。
【０００８】
しかしながら、テレビコンセント８１を上述のように上下方向の向きを逆にして用いると、同軸ケーブル８６０に結露が発生したときに、結露した水滴が同軸ケーブル８６０を伝う等して筐体８１０の後方に出っ張った部分の入力端子８２ｃが設けられている面上に落ちることがある。この面上に落ちた水滴は、筐体８１０の開口部と封止板８１１ｂとの隙間から筐体８１０の内部へと流れ込むことがあり、内部のフィルタ回路基板８６等に付着してテレビコンセント８１の動作不良や故障の原因となることがある。
【０００９】
同軸ケーブルに結露した水滴が筐体の内部に入り込まないようにしたテレビコンセントとしては、例えば特許文献２に記載されているように、筐体の入力端子が設けられている上面に、切り替えスイッチが配される穴部から筐体内部に水滴が流れ込むことを防ぐような溝を設けたものがある。しかしながら、このテレビコンセントは、切り替えスイッチから流れ込む水滴を防ぐことができるが、フィルタ回路基板８６を配するための開口部に上述のように水滴が流れ込むのを防ぐことができるものではない。
【特許文献１】特開２００２−１７１１８０号公報
【特許文献２】特開２００２−１３４２１７号公報
【発明の開示】
【発明が解決しようとする課題】
【００１０】
本発明は、上記問題点を鑑みてなされたものであり、テレビコンセントを上下方向を逆にして用いたときに同軸ケーブルに結露等が発生しても、水滴が筐体の入力端子が設けられている面から開口部に流れ込ませないような防滴構造を有することで、動作不良や故障を防止することが可能なテレビコンセントを提供することを目的とする。
【課題を解決するための手段】
【００１１】
上記目的を達成するため請求項１の発明は、筐体前面から露出されるように設けられた第１のテレビ端子及び第２のテレビ端子と、筐体外部に露出するように筐体の背面側に配され、同軸ケーブルと接続される入力端子とが筐体に形成され、筐体内部に収納され、前記入力端子に接続されて前記同軸ケーブルを経由して送られる信号を２分配する２分配回路を有する２分配回路基板と、前記２分配回路と第１のテレビ端子とを前記信号を伝送可能に接続する第一の経路と、第一の経路とは異なり前記２分配回路と第２のテレビ端子とを前記信号を伝送可能に接続する第二の経路と、これら第一、第二の経路それぞれに個別に挿入可能なフィルタとを有し、筐体内部に収納されたフィルタ回路基板と、前記筐体前面に外部から操作可能に設けられ、第一の経路に接続され、前記フィルタを第一の経路に挿入するかどうかによって第１のテレビ端子を双方向通信と片方向通信とに切り替えるための第１の切り替えスイッチと、前記筐体前面に外部から操作可能に設けられ、第二の経路に接続され、前記フィルタを第二の経路に挿入するかどうかによって第２のテレビ端子を双方向通信と片方向通信とに切り替えるための第２の切り替えスイッチとを備え、前記第１の切り替えスイッチ及び第２の切り替えスイッチは、共に前記第１のテレビ端子又は第２のテレビ端子のいずれか一方の近傍に配置されており、前記筐体は、前記第１のテレビ端子又は第２のテレビ端子のうち他方が設けられた部位と前記第１の切り替えスイッチ及び第２の切り替えスイッチが設けられた部位との間の部位が、幅方向の寸法が狭くなるように成形され、また、前記２分配回路基板が収納されている部位は前記フィルタ回路基板が設けられている部位の背面から後方に出っ張った形状であるとともに、このフィルタ回路基板が設けられている部位の背面が開口部となっているテレビコンセントにおいて、前記入力端子は、前記２分配回路基板が収納されている部位の外面上であって、一方から他方への向きかまたは他方から一方への向きに凹む形状に設けられた段部に、立設されたものである。
【００１２】
請求項２の発明は、筐体前面から露出されるように設けられた第１のテレビ端子及び第２のテレビ端子と、筐体外部に露出するように筐体の背面側に配され、同軸ケーブルと接続される入力端子とが筐体に形成され、筐体内部に収納され、前記入力端子に接続されて前記同軸ケーブルを経由して送られる信号を２分配する２分配回路を有する２分配回路基板と、前記２分配回路と第１のテレビ端子とを前記信号を伝送可能に接続する第一の経路と、第一の経路とは異なり前記２分配回路と第２のテレビ端子とを前記信号を伝送可能に接続する第二の経路と、これら第一、第二の経路それぞれに個別に挿入可能なフィルタとを有し、筐体内部に収納されたフィルタ回路基板と、前記筐体前面に外部から操作可能に設けられ、第一の経路に接続され、前記フィルタを第一の経路に挿入するかどうかによって第１のテレビ端子を双方向通信と片方向通信とに切り替えるための第１の切り替えスイッチと、前記筐体前面に外部から操作可能に設けられ、第二の経路に接続され、前記フィルタを第二の経路に挿入するかどうかによって第２のテレビ端子を双方向通信と片方向通信とに切り替えるための第２の切り替えスイッチとを備え、前記第１の切り替えスイッチ及び第２の切り替えスイッチは、共に前記第１のテレビ端子又は第２のテレビ端子のいずれか一方の近傍に配置されており、前記筐体は、前記第１のテレビ端子又は第２のテレビ端子のうち他方が設けられた部位と前記第１の切り替えスイッチ及び第２の切り替えスイッチが設けられた部位との間の部位が、幅方向の寸法が狭くなるように成形され、また、前記２分配回路基板が収納されている部位は前記フィルタ回路基板が設けられている部位の背面から後方に出っ張った形状であるとともに、このフィルタ回路基板が設けられている部位の背面が開口部となっているテレビコンセントにおいて、前記入力端子は、前記２分配回路基板が収納されている部位の外面上に、一方から他方への向きかまたは他方から一方への向きに立設され、この入力端子の周囲には、溝部が筐体の外側面に通じるように形成されているものである。
【００１３】
請求項３の発明は、筐体前面から露出されるように設けられた第１のテレビ端子及び第２のテレビ端子と、筐体外部に露出するように筐体の背面側に配され、同軸ケーブルと接続される入力端子とが筐体に形成され、筐体内部に収納され、前記入力端子に接続されて前記同軸ケーブルを経由して送られる信号を２分配する２分配回路を有する２分配回路基板と、前記２分配回路と第１のテレビ端子とを前記信号を伝送可能に接続する第一の経路と、第一の経路とは異なり前記２分配回路と第２のテレビ端子とを前記信号を伝送可能に接続する第二の経路と、これら第一、第二の経路それぞれに個別に挿入可能なフィルタとを有し、筐体内部に収納されたフィルタ回路基板と、前記筐体前面に外部から操作可能に設けられ、第一の経路に接続され、前記フィルタを第一の経路に挿入するかどうかによって第１のテレビ端子を双方向通信と片方向通信とに切り替えるための第１の切り替えスイッチと、前記筐体前面に外部から操作可能に設けられ、第二の経路に接続され、前記フィルタを第二の経路に挿入するかどうかによって第２のテレビ端子を双方向通信と片方向通信とに切り替えるための第２の切り替えスイッチとを備え、前記第１の切り替えスイッチ及び第２の切り替えスイッチは、共に前記第１のテレビ端子又は第２のテレビ端子のいずれか一方の近傍に配置されており、前記筐体は、前記第１のテレビ端子又は第２のテレビ端子のうち他方が設けられた部位と前記第１の切り替えスイッチ及び第２の切り替えスイッチが設けられた部位との間の部位が、幅方向の寸法が狭くなるように成形され、また、前記２分配回路基板が収納されている部位は前記フィルタ回路基板が設けられている部位の背面から後方に出っ張った形状であるとともに、このフィルタ回路基板が設けられている部位の背面が開口部となっているテレビコンセントにおいて、前記入力端子は、前記２分配回路基板が収納されている部位の外面上に、一方から他方への向きかまたは他方から一方への向きに立設され、この入力端子とフィルタ回路基板との間に、前記開口部の端部を遮る敷居部が形成されているものである。
【発明の効果】
【００１４】
請求項１の発明によれば、入力端子が筐体の後方に出っ張った部位の外面上に、一方から他方の向きか又は他方から一方の向きに凹む形状に設けられた段部に立設されているので、テレビコンセントを上下方向を逆にして用いたときに同軸ケーブルに結露等が発生しても、水滴は段部に落ちる。水滴が段部に溜まるとしても、水滴が段部の範囲からあふれれば、表面張力で開口部へ流れ込むよりも先に下方へ落滴する。従って、水滴が筐体の入力端子が設けられている面から開口部に流れ込むことがなくなり、テレビコンセントの動作不良や故障を防止することが可能となる。
【００１５】
請求項２の発明によれば、筐体の後方に出っ張った部位の外面上の、入力端子の周囲には、溝部が筐体の外側面に通じるように形成されているので、テレビコンセントを上下方向を逆にして用いたときに同軸ケーブルに結露等が発生しても、入力端子が設けられた面上に落ちた水滴は溝部から筐体の外側面に流れ、その面上に溜まることがなく、水滴が溜まるとしても溝部を越えられないので開口部にまでは至らない。従って、水滴が筐体の入力端子が設けられている面から開口部に流れ込むことがなくなり、テレビコンセントの動作不良や故障を防止することが可能となる。
【００１６】
請求項３の発明によれば、筐体の後方に出っ張った部位の外面上に、入力端子とフィルタ回路基板との間に、開口部の端部を遮る敷居部が形成されているので、テレビコンセントを上下方向を逆にして用いたときに同軸ケーブルに結露等が発生して、水滴が筐体の入力端子が設けられている面に溜まるとしても、溜まった水滴は敷居部よりも開口部側には流れない。従って、水滴が筐体の入力端子が設けられている面から開口部に流れ込むことがなくなり、テレビコンセントの動作不良や故障を防止することが可能となる。
【発明を実施するための最良の形態】
【００１７】
以下、本発明の第１の実施形態について図面を参照して説明する。図１（ａ）、（ｂ）、及び図２は、本実施形態に係るテレビコンセントを示す。なお、図２は、後述する封止板１１ｂが取り付けられていない状態のテレビコンセントを示す。このテレビコンセント１の筐体１０の上部及び下部には、筐体１０の前面から露出されるように、それぞれ第１のテレビ端子２ａ及び第２のテレビ端子２ｂが設けられている。筐体１０の背面側には、筐体１０の外部に露出するように、同軸ケーブル（図示せず）と接続される入力端子２ｃが設けられている。第１のテレビ端子２ａ、第２のテレビ端子２ｂ、及び入力端子２ｃは、例えばＦ型コネクタの端子である。筐体１０の前面の第２のテレビ端子２ｂの近傍には、２つの操作孔３ａ，３ｂが設けられている。この操作孔３ａ，３ｂを通して筐体１０の外部から操作可能となるように、筐体１０の内部に、第１の切り替えスイッチ（以下、第１のスイッチと称する）４ａ、第２の切り替えスイッチ（以下、第２のスイッチと称する）４ｂがそれぞれ設けられている。筐体１０の上部の内部には、入力端子２ｃと接続され、同軸ケーブルを経由して送られる信号を２分配する２分配回路を有する２分配回路基板５が略水平に収納され、また、２分配された信号を第１のテレビ端子２ａ及び第２のテレビ端子２ｂに伝送するフィルタ回路基板６が２分配回路基板５よりも下方に略垂直に収納されている。このテレビコンセント１は、入力端子２ｃに同軸ケーブルが接続された状態で、例えば室内の壁面等に取り付けられて用いられる。
【００１８】
筐体１０は、例えばダイキャスト等、金属により成形される。図１（ｂ）に示すように、筐体１０の２分配回路基板５が収納されている部位はフィルタ回路基板６が設けられている部位の背面から後方に出っ張った形状とされている。また、筐体１０の上面と、フィルタ回路基板６が設けられている部位の背面とは、それぞれ外部に解放された開口部１０ａ，１０ｂとなっている。開口部１０ａ，１０ｂは、それぞれ封止板１１ａ，１１ｂによって覆われている。本実施形態において、図２に示すように、筐体１０の後方に出っ張った部分の下面１０ｃの側面寄りの部位には、この下面１０ｃよりも上方（一方から他方への向き）に凹むような形状の段部１０ｄが設けられている。そして、入力端子２ｃは、この段部１０ｄから下方（他方から一方への向き）へ立設されている。
【００１９】
また、本実施形態において、図１（ａ）に示すように、筐体１０の第１のテレビ端子２ａと操作孔３ａ，３ｂとの間の部位は、幅方向の寸法が狭くなるように成形されており、その部位の左右両側は空間１０ｅとなっている。筐体１０は、この空間１０ｅが大きくなるような形状に成形されており、これにより、入力端子２ｃの周囲には広い空間が確保され、入力端子２ｃに同軸ケーブルを容易に接続可能となっている。
【００２０】
操作孔３ａは、図１（ａ）に示すように、操作孔３ｂよりも第１のテレビ端子２ａに近い位置に配置され、操作孔３ｂは、操作孔３ａよりも第２のテレビ端子２ｂに近い位置に配置されている。すなわち、第１のスイッチ４ａ及び第２のスイッチ４ｂは、共に第２のテレビ端子２ｂの近傍に設けられており、第１のスイッチ４ａは、第２のスイッチ４ｂよりも第１のテレビ端子２ａに近い位置に配置され、第２のスイッチ４ｂは、第１のスイッチ４ａよりも第２のテレビ端子２ｂに近い位置に配置されている。第１のスイッチ４ａ及び第２のスイッチ４ｂは、例えばスライド型のスイッチであり、本実施形態においては、操作孔３ａ，３ｂを通して上下方向に切り替えることができるように配されている。
【００２１】
２分配回路基板５は、上述のように、筐体１０の上部の後方に出っ張った部位の内部の空間に収納されており、入力端子２ｃと接続されている。この２分配回路基板５は２分配回路（図示せず）を有しており、この２分配回路により、同軸ケーブルを経由して入力端子２ｃから入力された信号を２分配する。
【００２２】
図３（ａ）、（ｂ）は、フィルタ回路基板６を示す。フィルタ回路基板６は、両面パターン基板であって、筐体１０の内部形状に対応し角形状を落とされた形状とされており、上述のように、筐体１０の内部に、筐体１０の前面と平行に収納されている。このフィルタ回路基板６は、第一の経路７ａ及び第二の経路７ｂと、これらの経路７ａ，７ｂそれぞれに挿入可能に設けられるフィルタ８と、上述の第１のスイッチ４ａ及び第２のスイッチ４ｂにそれぞれ接続されるスイッチ接続部４１ａ，４１ｂを有している。第１のテレビ端子２ａ及び第２のテレビ端子２ｂと、２分配回路基板上の２分配回路は、このフィルタ回路基板６に接続されている。第一、第二の経路７ａ，７ｂは、この第１のテレビ端子２ａ及び第２のテレビ端子２ｂと、２分配回路基板５の２分配回路とを、信号を伝送可能にそれぞれ接続している。スイッチ接続部４１ａ，４１ｂは、それぞれ第一、第二の経路７ａ，７ｂの途中に配されており、スイッチ４ａ，４ｂが切り替わると、フィルタ８が第一、第二の経路７ａ，７ｂに挿入されるかどうかが切り替わるように構成されている。
【００２３】
フィルタ８は、ＣＡＴＶ用の信号のうち、加入者（ユーザ）側からＣＡＴＶ局側に向かう上り方向に対応する周波数帯域の成分を除去する帯域阻止フィルタである。フィルタ８は、第一、第二の経路７ａ，７ｂにそれぞれ挿入されたとき、この第一、第二の経路７ａ，７ｂを伝送されるＣＡＴＶ用の信号のうち、第１のテレビ端子２ａ及び第２のテレビ端子２ｂから入力端子２ｃに向かう上り方向に対応する周波数帯域の信号をカットする。このため、第一、第二の経路７ａ，７ｂは、入力端子２ｃから第１のテレビ端子２ａ及び第２のテレビ端子２ｂに向かう下り方向に対応する周波数帯域の信号のみを通過可能な片方向通信用の経路となる。フィルタ８が第一、第二の経路７ａ，７ｂに挿入されていないときには、第一、第二の経路７ａ，７ｂは双方向通信用の経路となる。すなわち、上述のように、第１のスイッチ４ａ又は第２のスイッチ４ｂが切り替わり、フィルタ８がそれぞれ第一、第二の経路７ａ，７ｂに挿入されるかどうかが切り替わると、第１のテレビ端子２ａ、第２のテレビ端子２ｂについて、双方向通信用か片方向通信用かの設定が切り替わる。なお、本実施形態においては、第１のテレビ端子２ａと第２のテレビ端子２ｂとのそれぞれについての双方向通信と片方向通信との切り替え作業は、筐体１０の外部から第１のスイッチ４ａ又は第２のスイッチ４ｂの双方向／片方向の設定を切り替えることにより行われる。この作業は、テレビコンセント１が壁面等に設置されている状態で行うことができる。
【００２４】
ここで、このテレビコンセント１は、第１のテレビ端子２ａが上側、第２のテレビ端子２ｂが下側となるように例えば壁面等に取り付けられて用いられるものであるが、上下方向を逆にして取り付けることも可能である。すなわち、テレビコンセント１を、入力端子２ｃが立設された向きが上向きとなるようにして、上方から同軸ケーブルをこの入力端子２ｃに接続して用いることが可能である。このようにテレビコンセント１が設置されたとき、筐体１０の段部１０ｄは、筐体１０の後方に出っ張った部分の下面１０ｃよりも下方に凹んだ状態となる。
【００２５】
上述のようにテレビコンセント１を上下方向を逆にして用いたとき、同軸ケーブルに結露等が発生すると、結露した水滴が同軸ケーブルを伝う等して、入力端子２ｃが設けられている段部１０ｄに落ちる。このとき、筐体１０の後方に出っ張った部分の下面１０ｃは段部１０ｄよりも上方であるので、水滴は下面１０ｃに溜まるとしても、段部１０ｄの範囲内であり、段部１０ｄの範囲からあふれれば表面張力で開口部１０ｂへ流れ込むよりも先に下方へ落滴する。従って、この水滴が筐体１０の後方に出っ張った部分の下面１０ｃから開口部１０ｂに流れ込むことがなく、テレビコンセントの動作不良や故障を防止することが可能となる。なお、段部１０ｄを、水平面にせずに筐体１の下方となる外方へ傾き落ちる傾斜を付けるようにして形成してもよく、このように形成することで、確実に早めに水滴を排除することが可能となる。
【００２６】
図４は、本発明の第２の実施形態に係るテレビコンセントを示す。以下の各実施形態において、上述の実施形態と同様の構成部材のものは同一の符号を付し、上述の実施形態と相違する部分についてのみ説明する。本実施形態において、テレビコンセント１は、筐体１０の後方に出っ張った部分の下面１０ｃに、上述の段部１０ｄに替えて、溝部１１０ｄを有しており、その他のテレビコンセント１の構成部材は上述の第１の実施形態と同様である。なお、図４は、封止板１１ｂが取り付けられていない状態のテレビコンセント１を示す。
【００２７】
溝部１１０ｄは、図に示すように、筐体１０の後方に出っ張った部位の下面１０ｃの入力端子２ｃが立設された部位と開口部１０ｂ近傍の部位との間に設けられている。溝部１１０ｄは、筐体１０の外側面に通じるように形成されている。
【００２８】
本実施形態においても、上述の第１の実施形態と同様に、テレビコンセント１を、入力端子２ｃが立設された向きが上向きとなるようにして、上方から同軸ケーブルを入力端子２ｃに接続して用いることが可能である。このとき、溝部１１０ｄは、筐体１０の後方に出っ張った部分の下面１０ｃよりも下方に凹んでいる状態となる。ここで、同軸ケーブルに結露等が発生すると、結露した水滴が同軸ケーブルを伝う等して、入力端子２ｃが設けられている下面１０ｃに落ちる。下面１０ｃ上に落ちた水滴の量が増えると、水滴は溝部１１０ｄを通り筐体１０の外側面に流れるので、水滴が下面１０ｃに溜まるとしても、溝部１１０ｄを越えられないので開口部１０ｂにまでは至らない。従って、水滴が筐体１０の後方に出っ張った部分の下面１０ｃから開口部１０ｂに流れ込むことがなく、テレビコンセント１の動作不良や故障を防止することが可能となる。
【００２９】
図５は、本発明の第３の実施形態に係るテレビコンセントを示す。以下の各実施形態において、上述の実施形態と同様の構成部材のものは同一の符号を付し、上述の実施形態と相違する部分についてのみ説明する。本実施形態において、テレビコンセント１の筐体１０の後方に出っ張った部分の下面１０ｃには敷居部２１０ｄが設けられており、上述の段部１０ｄは設けられていない。その他のテレビコンセント１の構成部材は上述の第１の実施形態と同様である。なお、図５は、封止板１１ｂが取り付けられていない状態のテレビコンセント１を示す。
【００３０】
敷居部２１０ｄは、図に示すように、筐体１０の後方に出っ張った部位の下面１０ｃに、開口部１０ｂの下面１０ｃ側の部位を塞ぐように、筐体１０と一体に形成されている。なお、敷居部２１０ｄは、開口部１０ｂの下面１０ｃ側の部位を塞ぐように設けられるものに限らず、例えば、開口部１０ｂの下面１０ｃ側の部位を囲むように、下面１０ｃの入力端子２ｃが設けられている部位と開口部１０ｂとの間に立設されるような衝立状のものであってもよい。
【００３１】
本実施形態においても、上述の第１及び第２の実施形態と同様に、テレビコンセント１を、入力端子２ｃが立設された向きが上向きとなるようにして、上方から同軸ケーブルを入力端子２ｃに接続して用いることが可能である。このとき、同軸ケーブルに結露等が発生すると、結露した水滴が同軸ケーブルを伝う等して、入力端子２ｃが設けられている下面１０ｃ上に落ちて溜まることがある。ここで、下面１０ｃ上に溜まった水滴は、敷居部２１０ｄに遮られて、敷居部２１０ｄよりも開口部１０ｂ側には流れない。従って、水滴が筐体１０の後方に出っ張った部分の下面１０ｃから開口部１０ｂに流れ込むことがなく、テレビコンセント１の動作不良や故障を防止することが可能となる。
【００３２】
なお、本発明は上記実施形態の構成に限定されるものではなく、発明の趣旨を変更しない範囲で適宜に種々の変形が可能である。例えば、テレビコンセント１は、筐体１０の背面側に、入力端子２ｃの他に送り配線用の出力端子が設けられているようなものであってもよい。このとき、例えば出力端子も入力端子２ｃと同様に上述のような段部１０ｄから立設されているような構成とすることにより、テレビコンセント１を上下方向を逆に用いているときに同軸ケーブルに結露等が発生しても、開口部１０ｂに水滴が流れ込むことがなく、テレビコンセント１の動作不良や故障を防止することが可能となる。
【図面の簡単な説明】
【００３３】
【図１】（ａ）は本発明の第１の実施形態に係るテレビコンセントを示す正面図、（ｂ）は同テレビコンセントを示す側断面図。
【図２】同上テレビコンセントを示す斜視図。
【図３】（ａ）は同上テレビコンセントのフィルタ回路基板を示す正面図、（ｂ）は同フィルタ回路基板を示す背面図。
【図４】本発明の第２の実施形態に係るテレビコンセントを示す斜視図。
【図５】本発明の第３の実施形態に係るテレビコンセントを示す斜視図。
【図６】（ａ）は従来のテレビコンセントの一例を示す正面図、（ｂ）は同テレビコンセントを示す側面図、（ｃ）は同テレビコンセントを示す斜視図。
【図７】同上テレビコンセントのフィルタ回路基板を示す平面図。
【図８】（ａ）は同上テレビコンセントにカバーを配したときの正面図、（ｂ）は同テレビコンセントを壁面に設置したときを示す図。
【図９】同上テレビコンセントを通常とは上下逆方向に壁面に設置したときを示す図。
【符号の説明】
【００３４】
１  テレビコンセント
２ａ  第１のテレビ端子
２ｂ  第２のテレビ端子
２ｃ  入力端子
４ａ  第１の切り替えスイッチ
４ｂ  第２の切り替えスイッチ
５  ２分割回路基板
６  フィルタ回路基板
７ａ  第一の経路
７ｂ  第二の経路
８  フィルタ
１０  筐体
１０ｂ  開口部
１０ｃ  下面
１０ｄ  段部
１１０ｄ  溝部
２１０ｄ  敷居部
【図１】
2007013686.tif 000003
【図２】
2007013686.tif 000004
【図３】
2007013686.tif 000005
【図４】
2007013686.tif 000006
【図５】
2007013686.tif 000007
【図６】
2007013686.tif 000008
【図７】
2007013686.tif 000009
【図８】
2007013686.tif 000010
【図９】
2007013686.tif 000011